(57)【特許請求の範囲】
【請求項１】
複数の防草シートが、少なくとも縦横いずれかの配列方向に隣り合う防草シート相互間で互いに接合された防草構造体の製造方法であって、
矩形状シート本体の一端に沿って延びる一方向両端及び該一方向に直交する他方向両端の少なくともいずれかに一体に連続するよう形成された側縁片を有する防草シートを複数、準備する第１ステップと、
隣り合う防草シート相互間の互いの側縁片が各上下面で重なり合うよう、必要数の防草シートを施工面に所定の配列方向で敷設する第２ステップと、
施工面に敷設したすべての防草シートについて、施工面の傾斜方向に隣り合う防草シート相互間の側縁片のうち、勾配上流側に位置する一方の側縁片をシート本体の上面側へ略Ｌ字状に折り曲げて折り目を付けるとともに、勾配下流側に位置する他方の側縁片をシート本体の上面側へ捲り上げた状態で、裏面同士を互いに接着させて接合部を形成する第３ステップと、を有する防草構造体の製造方法。
【請求項２】
複数の防草シートが、施工面の少なくとも傾斜方向に隣り合う防草シート相互間で互いに接合された防草構造体の製造方法であって、
矩形状シート本体の一端に沿って延びる一方向両端及び該一方向に直交する他方向両端の少なくともいずれかに一体に連続するよう形成された側縁片を有する防草シートを複数、準備する第１ステップと、
隣り合う防草シート相互間の互いの側縁片が各上下面で重なり合うよう、必要数の防草シートを施工面の少なくとも傾斜方向に敷設する第２ステップと、
施工面に敷設したすべての防草シートについて、施工面の傾斜方向に隣り合う防草シート相互間の側縁片のうち、勾配上流側に位置する一方の側縁片をシート本体の上面側へ略Ｌ字状に折り曲げて折り目を付けるとともに、勾配下流側に位置する他方の側縁片をシート本体の上面側へ捲り上げた状態で、裏面同士を互いに接着させて接合部を形成する第３ステップと、を有する防草構造体の製造方法。
【請求項３】
裏面同士で接着させるに先立ち、折り目付近で勾配上下流側の両側縁片を仮止めする、請求項１または２に記載の防草構造体の製造方法。
【請求項４】
裏面同士で接着させた後、仮止めを解除する、請求項３に記載の防草構造体の製造方法。
【発明の詳細な説明】
【技術分野】
【０００１】
本発明は、草の生育を防止する必要のある領域への設置に適した防草構造体の製造（施工）方法に関する。
【背景技術】
【０００２】
草の生育防止を望む領域の施工面に対して、厚さが数ミリ程度で長尺帯状の防草シートをその短手（幅）方向に複数、隣接させて敷き詰め、すべての防草シートについて、隣り合う防草シート相互間を接合する防草構造体の施工方法は知られている（例えば特許文献１，２）。
【先行技術文献】
【特許文献】
【０００３】
【特許文献１】特開２００４−３３０３２号公報
【特許文献２】特開２０１１−１０６０９２号公報
【発明の概要】
【発明が解決しようとする課題】
【０００４】
上記方法で施工される防草構造体を平面視した場合に、防草構造体を構成するすべての防草シートの中の、何れか任意の防草シートを基準シートとし、この基準シートを起点として各防草シートの幅方向に隣り合う防草シートを他のシートとして以下、説明する。
従来は、基準シートと他のシートのいずれか一方（例えば基準シート）に対していずれか他方（例えば他のシート）をその端部が上になるように重ね合わせた後、その重ね合わせ部を、接着材または両面テープによる接着や、加熱による融着などの方法で接着することにより、施工面上への防草構造体の施工（製造）を行っていた。
【０００５】
なお、一見して水平な地面であっても、そのすべての領域が論理的に水平であることはなく、その領域のどこかに必ず傾斜（勾配）がある。したがって、施工領域へ施工後に雨が降れば、その降雨による雨水は、施工領域のどこかに排水方向などを変える障害物を積極的に設けない限り、必ず、施工面の勾配なりに流れる。
従来の方法により施工される防草構造体の、基準シートと他のシート相互間に形成される接合部は、一方のシートの上面に対して他方のシートの厚み分（数ミリ程度）だけが僅かに盛り上がったものであり、厚み方向への実質的な突出はなく、ほぼ平坦であり、また防草構造体が施工領域の面形状に追従する表面（上面）を持つことを考慮すると、施工領域への施工後に雨が降った場合、その降雨による雨水のうち防草構造体中に浸透しなかったものが防草構造体の上面を伝って勾配なりに流れる。このようにして流れてくる雨水が防草構造体の裏面側（施工面上）に流入すると、施工当初には想定していなかった新たな水路の洗掘が発生し、土砂流出や土砂崩れの可能性を伴う不都合を生じることがある。
【０００６】
そこで、このような防草構造体の上面を伝って勾配なりに流れてくる雨水が、基準シートと他のシート相互間に形成される接合部から防草構造体の裏面側に流入することを防止すべく、従来の方法では、施工領域全体での傾斜を考慮し、基準シートに対して端部が上となる他のシートの該端部が勾配下流側へ向くよう、必ず、勾配最下流側に基準シートを敷設し、ここから勾配上流側へ向けて、他のシートをその端部が上になるよう部分的に重ね合わせていく必要があり（特許文献１の段落００１６）、基準シートと他のシートの敷設順序に制限があった。
【０００７】
また、施工面に樹木、石、構造物などの障害物が点在する場合、それぞれの障害物を考慮した基準シートの配置や、該基準シートと他のシートの敷設方向など、事前に検討すべき事項が増え、施工者による設計及び施工手順の自由度が妨げられることが多かった。
【０００８】
本発明は、上記点に鑑みなされたものであって、その目的は、傾斜や障害物の有無にかかわらず、施工の自由度が高く、施工面へ効率的に防草構造体を施工することができる防草構造体の製造方法を提供することにある。
【課題を解決するための手段】
【０００９】
以下では、本発明の理解を容易にするために、本発明の実施形態を示す図面に対応する符号を付して説明するが、これに限定されるものではない。
【００１０】
上記目的を達成するために、本発明の第１の観点に係る防草構造体に製造方法は、複数の防草シート（Ａ）が、少なくとも縦横いずれかの配列方向（Ｘのみ、Ｙのみ、Ｙ１のみ、Ｘ及びＹ、または、Ｘ及びＹ１）に隣り合う防草シート相互間（Ａ１とＡ２、Ａ２とＡ３、Ａ３とＡ４、Ａ１１とＡ２１、Ａ２１とＡ３１、Ａ３１とＡ４１、Ａ１２とＡ２２、Ａ２２とＡ３２、Ａ３２とＡ４２、Ａ１とＡ１１、Ａ１１とＡ１２、Ａ２とＡ２１、Ａ２１とＡ２２、Ａ３とＡ３１、Ａ３１とＡ３２、Ａ４とＡ４１、Ａ４１とＡ４２）で互いに接合された防草構造体（１００）の製造方法であって、少なくとも第１ステップ、第２ステップ及び第３ステップを有する。
【００１１】
第１の観点の第１ステップは、矩形状シート本体（１）の一端に沿って延びる一方向（例えばＸ）両端及び該一方向に直交する他方向（例えばＹ）両端の少なくともいずれかに一体に連続するよう形成された側縁片（１０，１１，１２，１３，１４）を有する防草シート（Ａ）を複数、準備する工程である。
【００１２】
第１の観点の第２ステップは、隣り合う防草シート相互間（Ａ１とＡ２、Ａ２とＡ３、Ａ３とＡ４、Ａ１１とＡ２１、Ａ２１とＡ３１、Ａ３１とＡ４１、Ａ１２とＡ２２、Ａ２２とＡ３２、Ａ３２とＡ４２、Ａ１とＡ１１、Ａ１１とＡ１２、Ａ２とＡ２１、Ａ２１とＡ２２、Ａ３とＡ３１、Ａ３１とＡ３２、Ａ４とＡ４１、Ａ４１とＡ４２）の互いの側縁片（１０。例えば１３と１４や、１１と１２）が各上下面で重なり合うよう、必要数の防草シート（Ａ）を施工面（Ｇ）に所定の配列方向で敷設する工程である。
【００１３】
第１の観点の第３ステップは、施工面（Ｇ）に敷設したすべての防草シート（Ａ）について、少なくとも１つの配列方向（例えば、Ｘ及びＹにシートが配列されている場合、Ｘのみでよいし、Ｙのみでもよく、Ｘ及びＹでもよい。Ｘ及びＹ１にシートが配列されている場合、Ｘのみでよいし、Ｙ１のみでもよく、Ｘ及びＹ１でもよい。）に隣り合う防草シート相互間（Ａ１とＡ２、Ａ２とＡ３、Ａ３とＡ４、Ａ１１とＡ２１、Ａ２１とＡ３１、Ａ３１とＡ４１、Ａ１２とＡ２２、Ａ２２とＡ３２、Ａ３２とＡ４２）の側縁片（１０、少なくとも１３と１４）を裏面同士で互いに接着させて接合部（１０２、少なくとも１０２ｂ）を形成する工程である。第３ステップで形成される接合部は、矩形状シート本体（１）の厚み方向上方に実質的に突出し、かつ配列方向（少なくともＹ，Ｙ１）に直交する方向（Ｘ）へ延在する。
【００１４】
本発明の第２の観点に係る防草構造体に製造方法は、
複数の防草シート（Ａ）が、施工面（Ｇ）の少なくとも傾斜方向（Ｙ１）に隣り合う防草シート相互間（Ａ１とＡ２、Ａ２とＡ３、Ａ３とＡ４、Ａ１１とＡ２１、Ａ２１とＡ３１、Ａ３１とＡ４１、Ａ１２とＡ２２、Ａ２２とＡ３２、Ａ３２とＡ４２）で互いに接合された防草構造体（１００）の製造方法であって、少なくとも第１ステップ、第２ステップ及び第３ステップを有する。
【００１５】
第２の観点の第１ステップは、第１の観点と同様、矩形状シート本体（１）の一端に沿って延びる一方向（例えばＸ）両端及び該一方向に直交する他方向（例えばＹ）両端の少なくともいずれかに一体に連続するよう形成された側縁片（１０，１１，１２，１３，１４）を有する防草シート（Ａ）を複数、準備する工程である。
【００１６】
第２の観点の第２ステップは、隣り合う防草シート相互間（少なくとも、Ａ１とＡ２、Ａ２とＡ３、Ａ３とＡ４、Ａ１１とＡ２１、Ａ２１とＡ３１、Ａ３１とＡ４１、Ａ１２とＡ２２、Ａ２２とＡ３２、Ａ３２とＡ４２）の互いの側縁片（１０。少なくとも１３と１４）が各上下面で重なり合うよう、必要数の防草シート（Ａ）を施工面（Ｇ）の少なくとも傾斜方向（Ｙ１）に敷設する工程である。
【００１７】
第２の観点の第３ステップは、施工面（Ｇ）に敷設したすべての防草シート（Ａ）について、施工面（Ｇ）の少なくとも傾斜方向（Ｙ１）に隣り合う防草シート相互間（Ａ１とＡ２、Ａ２とＡ３、Ａ３とＡ４、Ａ１１とＡ２１、Ａ２１とＡ３１、Ａ３１とＡ４１、Ａ１２とＡ２２、Ａ２２とＡ３２、Ａ３２とＡ４２）の側縁片（１０、少なくとも１３と１４）を裏面同士で互いに接着させて接合部（１０２、少なくとも１０２ｂ）を形成する工程である。第３ステップで形成される接合部は、矩形状シート本体（１）の厚み方向上方に実質的に突出し、かつ配列方向（少なくともＹ１）に直交する方向（Ｘ）へ延在する。
【００１８】
《共通事項》
本発明において、施工面に傾斜がある場合における第３ステップは、施工面（Ｇ）の傾斜方向（Ｙ１）に隣り合う防草シート相互間（Ａ１とＡ２、Ａ２とＡ３、Ａ３とＡ４、Ａ１１とＡ２１、Ａ２１とＡ３１、Ａ３１とＡ４１、Ａ１２とＡ２２、Ａ２２とＡ３２、Ａ３２とＡ４２）の側縁片（１３と１４）のうち、勾配上流側（Ｇ１）に位置する一方の側縁片（１３）をシート本体（１）の上面側へ略Ｌ字状に折り曲げて折り目を付けるとともに、勾配下流側（Ｇ２）に位置する他方の側縁片（１４）をシート本体（１）の上面側へ捲り上げた状態で、裏面同士を接着させることができる。
【００１９】
本発明において、勾配上流側（Ｇ１）に位置する一方の側縁片（１３）を略Ｌ字状に折り曲げて折り目を付けることの他に、溶剤を用いて略Ｌ字状に固定することもできる。
【００２０】
本発明において、第３ステップに先立ち、折り目（２３，２４）付近で勾配上下流側の両側縁片（１３，１４）を仮止めすることができる。この仮止めは、第３ステップを実行した後、取り外す（解除する）ことができる。
【発明の効果】
【００２１】
本発明方法によると、施工面に敷設したすべての防草シートについて、隣り合う防草シート相互間の側縁片を裏面同士で接着させて接合部を形成する工程を有するため、傾斜や障害物の有無にかかわらず、隣り合う防草シート相互間の敷設順序に制限はない（下流から上流への敷設はもちろん、上流から下流、中央から端、端から中央なども可能）。したがって、本発明方法によれば、施工の自由度が高く、施工面へ効率的に防草構造体を施工することができる防草構造体の製造方法を提供することができる。
【図面の簡単な説明】
【００２２】
【図１】図１は本発明方法により製造される防草構造体の一例を示す平面図である。
【図２】図２は図１のＩＩ−ＩＩ線に沿った断面図である。
【図３】図３は図１のＩＩＩ−ＩＩＩ線に沿った断面図である。
【図４】図４は施工面に傾斜がある場合の図２に相当する断面図である。
【図５】図５は図１の防草構造体の製造に用いる防草シートの一例を示す平面図である。
【図６】図６（Ａ）〜図６（Ｃ）は本発明方法の一例を示す断面図である。
【発明を実施するための形態】
【００２３】
以下、本発明の実施形態を図面に基づいて説明する。
本例では、防草構造体として、図１〜図３に示す防草構造体１００を例示し、その構成及び製造方法を説明する。
【００２４】
なお、以下の説明において、防草構造体１００を平面視(図１参照)した場合の縦方向を「Ｘ方向」とし、Ｘ方向に直交する横方向を「Ｙ方向」とする。また、防草構造体１００を構成するすべての防草シートＡの中の、何れか任意の防草シートを「基準シートＡ１」とし、この基準シートＡ１を起点としてＸ方向に隣り合う防草シートを「他のシートＡ１１」とし、Ｙ方向に隣り合う防草シートを「他のシートＡ２，Ａ２１」とする。
【００２５】
まず、施工（製造）される防草構造体の構成例を説明する。
図１に示すように、本例の方法で施工（製造）する防草構造体１００は、複数（図例では１２枚以上）の防草シートＡを、縦横それぞれに配列し、すべての防草シートＡについて、隣り合う防草シートＡ，Ａ相互間を接合部１０２で連結した構造を有する。接合部１０２は、Ｙ方向に延在する接合第１部１０２ａと、Ｘ方向に延在する接合第２部１０２ｂとを含む。
【００２６】
接合第１部１０２ａは、図１及び図３に示すように、基準シートＡ１と、縦方向（Ｘ方向）に隣り合う他のシートＡ１１との間で、基準シートＡ１の下側に位置する側縁第１片１２と、他のシートＡ１１の上側に位置する側縁第１片１１とが、それぞれの裏面同士を互いに接着することにより、横方向（Ｙ方向）へ延在するように形成されている。すなわち、接合第１部１０２ａは、配列方向がＸ方向であって、この方向に隣り合う、例えば基準シートＡ１及び他のシートＡ１１，Ａ１２などの相互間の対向する側縁第１片１１，１２の裏面同士を互いに接着して形成され、かつＸ方向に直交するＹ方向へ延在するように形成されている。
【００２７】
接合第１部１０２ａは、図３に示すように、Ｘ方向に隣り合う防草シート相互間（Ａ１とＡ１１、Ａ１１とＡ１２など）の対向する各側縁第１片１１，１２の双方が略Ｌ字状に折り曲げられた状態で、裏面同士で接着されていてもよい。ただし、接合第１部１０２ａの、Ｘ方向に隣り合う防草シート相互間（Ａ１とＡ１１、Ａ１１とＡ１２など）の対向する側縁第１片１１，１２の状態は特に限定されない。
【００２８】
図示省略するが、他のシートＡ１１と他のシートＡ１２の間でも同様である。なお、他のシートＡ２を起点とした該シートＡ２１と他のシートＡ２２の間、他のシートＡ３を起点とした該シートＡ３１と他のシートＡ３２の間、他のシートＡ４を起点とした該シートＡ４１と他のシートＡ４２の間でもそれぞれ同様である。
【００２９】
接合第２部１０２ｂは、図１及び図２に示すように、基準シートＡ１と、Ｙ方向に隣り合う他のシートＡ２との間で、基準シートＡ１の右側に位置する側縁第３片１４と、他のシートＡ２の左側に位置する側縁第２片１３とが、それぞれの裏面同士を互いに接着することにより、Ｘ方向へ延在するように形成されている。すなわち、接合第２部１０２ｂは、配列方向がＹ方向であって、この方向に隣り合う、例えば基準シートＡ１及び他のシートＡ２，Ａ３，Ａ４などの相互間の対向する側縁第２片１３と側縁第３片１４の裏面同士を互いに接着して形成され、かつＹ方向に直交するＸ方向へ延在するように形成されている。
【００３０】
接合第２部１０２ｂは、図２に示すように、Ｙ方向に隣り合う防草シート相互間（Ａ１とＡ２、Ａ２とＡ３、Ａ３とＡ４など）の対向する各側縁片（側縁第２片１３，側縁第３片１４）のうち、一方の側縁第２片１３のみが略Ｌ字状に折り曲げられた状態で、他方の側縁第３片１４に対して裏面同士で接着されていてもよい。ただし、上記接合第１部１０２ａと同様、接合第２部１０２ｂの、Ｙ方向に隣り合う防草シート相互間（Ａ１とＡ２、Ａ２とＡ３、Ａ３とＡ４など）の対向する各側縁片（側縁第２片１３，側縁第３片１４）の状態は特に限定されない。
【００３１】
しかしながら、施工面Ｇが全体として、例えば図４に示すように、勾配上流側Ｇ１と勾配下流側Ｇ２を結ぶ傾斜方向（Ｙ１方向）に傾斜している場合、Ｙ１方向に隣り合う防草シート相互間（Ａ１とＡ２、Ａ２とＡ３、Ａ３とＡ４など）については、勾配上流側の防草シートＡ２の側縁第２片１３を折り線２３を介して略Ｌ字状にしっかりと折り曲げ、勾配下流側の防草シートＡ１の側縁第３片１４を捲り上げた状態でそれぞれの裏面同士を接合することが好ましい。このような構造とすることにより、接合部１０２（接合第２部１０２ｂ）の勾配下流側のみを湾曲させることができ、これにより、勾配なりに流れてくる雨水に対して対抗可能な強度の向上が期待できる。
なお、溶剤を用いて、側縁第２片１３及び側縁第３片１４を上記態様に固めるのも有効である。
【００３２】
図示省略するが、他のシートＡ２と他のシートＡ３の間、他のシートＡ３と他のシートＡ４の間でも同様である。なお、他のシートＡ１１を起点とした該シートＡ１１と他のシートＡ２１の間、他のシートＡ２１と他のシートＡ３１の間、他のシートＡ３１と他のシートＡ４１の間、他のシートＡ１２を起点とした該シートＡ１２と他のシートＡ２２の間、他のシートＡ２２と他のシートＡ３２の間、他のシートＡ３２と他のシートＡ４２の間でもそれぞれ同様である。
【００３３】
図２及び図３に示すように、接合第１部１０２ａ及び接合第２部１０２ｂはともに、矩形状シート本体１の厚み方向上方に実質的に突出するよう形成されている。その突出高さＨ（図２及び図３参照）は、例えば１０〜１００ｍｍ程度、好ましくは３０ｍｍ以上である。なお、「実質的に突出」とは、矩形状シート本体１（引いては防草シートＡ）の厚み方向上方に少なくとも１０ｍｍ、好ましくは３０ｍｍ以上、立ち上がっていることを意味する。
【００３４】
このような接合第１部１０２ａと接合第２部１０２ｂは、本例では、配列パターンが、たて張り千鳥目地状となるように形成してある。具体的には、すべての接合部１０２のうち、Ｙ方向に延在する接合第１部１０２ａのみが、Ｙ方向に沿って互い違いになるよう形成されている。接合第１部１０２ａは、そのＸ方向のずらし幅Ｗが、好ましくは５０ｍｍ以上、より好ましくは１００ｍｍ以上となるように設定してある。これに対し、Ｘ方向に延在する接合第２部１０２ｂはいずれも、Ｘ方向に沿って連続するように形成されている。
【００３５】
次に、上記構成の防草構造体１００を施工（製造）する方法の一例を説明する。
施工場所は特に限定されず、例えば、空き地、路肩、道路、通路、道路脇、河川敷、堤防、園、庭、田、畑、森林、駐車場あるいは太陽光発電施設等、およびこれらの周辺の地面、表面、法面など、およそ防草が必要な場所であればよい。
【００３６】
本例では、施工面Ｇの傾斜の強弱を問わず、障害物が点在する場合にも、その効果を最も発揮しうる。詳細は後述するが、本施工例によると、所定の配列方向に隣り合う防草シートＡ，Ａ相互間の側縁片を裏面同士で互いに接着させるため、防草シートＡを敷設しはじめる位置が、施工領域の勾配上流側、勾配下流側、中央、端など、どの位置からでも、施工が可能であり、施工の自由度が極めて高い。
【００３７】
なお、本例では、施工面Ｇの傾斜が強い場合を例示し、かつ勾配上流側Ｇ１と下流側Ｇ２を結ぶ傾斜方向（Ｙ１方向）への施工例について説明する。
【００３８】
第１ステップ
まず、例えば、図５に示す防草シートＡを複数、準備する（第１ステップ）。
防草シートＡは、例えば、耐候性に優れた合成樹脂（例えばポリエステル、ポリプロピレン、ビニル等）であって、非透光性（例えば黒色または緑色）かつ柔軟性のある、矩形状（例えば長尺帯状など）のシート本体１を有する。
【００３９】
矩形状シート本体１には、本発明で言う「一端に沿って延びる一方向両端」の一例としての長手方向（Ｘ方向）各上下端（長手方向両端）に、一体に連続する小幅（例えば１０〜１００ｍｍ程度）の側縁第１片１１，１２が形成されている。
これに加え、本例のシート本体１には、本発明で言う「該一方向に直交する他方向両端」の一例としての幅方向（Ｙ方向）各左右端（幅方向両端）に、一体に連続する小幅（例えば１０〜１００ｍｍ程度）の側縁第２片１３と側縁第３片１４が形成されている。
【００４０】
なお、本例の側縁第１部１１，１２及び側縁第２部１３は、それぞれ、折り線２１，２２，２３を介して形成されていてもよい。ただし、本発明では折り線の有無は不問である。その一方、勾配下流側の配置に適した側縁第３部１４は、折り線を介さず、シート本体１に一体に連続して形成されていることが好ましい。
【００４１】
各防草シートＡのサイズは、例えば、幅（Ｙ方向）が０．５ｍ〜４ｍ程度、長さ（Ｘ方向）が０．５ｍ〜５００ｍ程度、厚みが３００μｍ〜１０ｍｍ程度である。
【００４２】
第２ステップ
次に、異物や突起物（雑物、石、草、木根等）を取り除き、いわゆる不陸がない状態（凹凸がない状態）に整地した施工面Ｇに対し、図６（Ａ）に示すように、必要枚数の防草シートＡを、縦横それぞれの配列方向（Ｘ及びＹ）に敷設する。このとき、隣り合う防草シートＡ，Ａ相互間（例えば、Ａ１とＡ２、Ａ２とＡ３、Ａ３とＡ４など）の互いの側縁片１０（１１，１２，１３，１４）が各上下面で重なり合うよう敷設する（第２ステップ）。
【００４３】
最初に敷設する防草シートＡ１の、施工面Ｇに対するＸ方向での配置位置は特に限定されず、勾配最下流側の他、勾配最上流側、上下流の中程その他任意の位置に配置することができる。すなわち、上面に配置される側縁片１０が、勾配上流側の防草シートＡ２の側縁第２片１３であろうと、勾配下流側の防草シートＡ１の側縁第３片１４であろうと、その別は不問である。
なぜならば、本例では、後述するように、勾配下流側に配置される防草シートＡ１の勾配上流側の側縁第３片１４をシート本体１の上面方向に捲り上げるとともに、勾配上流側に配置される防草シートＡ２の勾配下流側の側縁第２片１３を折り線２３でシート本体１の上面方向にしっかりと折り曲げた後、最終的には、シートＡ２の側縁第２片１３とシートＡ１の側縁第３片１４の各裏面同士を接着させるため、複数の防草シートＡを敷設する際に、防草シートＡ２の側縁第２片１３と、防草シートＡ１の側縁第３片１４のどちらが上に来るか否かは問題ではない。また、複数の場所（例えば上下流の両方）から敷設が可能である。これらの点で、必ず、勾配下流側から上流側に向けて順次、敷設して行かざるを得なかった従来の施工方法と比較して、施工の自由度が格段に向上する。
【００４４】
本例では、敷設する際に隣り合う防草シートＡ，Ａ相互間（例えば、Ａ１とＡ２、Ａ２とＡ３、Ａ３とＡ４、Ａ１とＡ１１、Ａ１１とＡ１２など）の対向する各側縁片１０，１０（Ｙ方向に隣り合う防草シート相互間では側縁第２片１３と側縁第３片１４、Ｘ方向に隣り合う防草シート相互間では側縁第１片１１と側縁第１片１２）の重ね幅Ｗ１は、完成時の突出高さＨ（図２及び図３参照）の２倍以上とすることが望ましい。
【００４５】
第３ステップ
次に、図６（Ｃ）に示すように、施工面Ｇに敷設したすべての防草シートＡについて、縦横それぞれの配列方向（Ｘ及びＹ）に隣り合う防草シートＡ，Ａ相互間の側縁片１０（１１と１２、１３と１４）を裏面同士で互いに接着させて接合第１部１０２ａ及び接合第２部１０２ｂを形成する（第３ステップ）。
【００４６】
本例では、まず、隣り合う防草シートＡ，Ａ相互間のうち、上側に配置された防草シートの端部より、設定してある高さ分を折り曲げる。「上側に配置された防草シート」とは、例えば、防草シートＡ１と防草シートＡ２について見れば防草シートＡ２であり、防草シートＡ２と防草シートＡ３について見れば防草シートＡ２であり、防草シートＡ３と防草シートＡ４について見れば防草シートＡ３である。このとき、上側に配置された防草シートが、勾配上流側に配置されたものであれば（例えばＡ１及びＡ２間でのＡ２）、その側縁第２部１３を折り目２３でしっかりと折り目を付け、勾配下側に配置されたものであれば（例えばＡ２及びＡ３間でのＡ２）、その側縁第３部１４を軽く折り目を付ける。
【００４７】
次に、下側に配置された防草シート（例えばＡ１及びＡ２間でのＡ１）を上側に配置された防草シート（例えばＡ１及びＡ２間でのＡ２）の上に持ち上げ、上側に配置された防草シートと同じ折り目の位置で折り目を付ける。このとき、上側に配置された防草シートが、勾配上流側に配置されたものであれば（例えばＡ１及びＡ２間でのＡ２）、その側縁第２部１３を折り目２３でしっかりと折り目を付け、勾配下側に配置されたものであれば（例えばＡ２及びＡ３間でのＡ２）、その側縁第３部１４を軽く折り目を付ける。
【００４８】
なお、勾配上流側と勾配下流側の両方の防草シートを立ち上げた際、高さが違う場合もある。この場合は、設定した高さに切断するのが望ましい。
【００４９】
その後、対向する側縁片１０（１１と１２、１３と１４）を裏面同士で接着させて接合第１部１０２ａ及び接合第２部１０２ｂを形成する。
裏面同士の接着方法としては、特に限定されず、例えば、裏面接触部分を溶融させ固化させることで相互に加熱融着する方法や、両裏面間に両面接着性の自着層を有するテープを挟むように挿入して転圧することで接着する方法や、紐状の物で縫い付ける方法や、ＦＲＰなどの塗料を含浸させて接着する方法などがある。本例では、いずれの方法を用いてもよい。
【００５０】
以上の工程を経ることで、防草構造体１００が施工（製造）される。
【００５１】
なお、本例では、第３ステップに先立ち、例えば図６（Ｂ）に示す、仮止め作業を行ってもよい。
例えば、まず、勾配上流側に位置する防草シートＡ２の勾配下流側の側縁第２片１３を、折り線２３でシート本体１の上面方向にしっかりと折り曲げる。これとともに、勾配下流側に位置する防草シートＡ１の勾配上流側の側縁第３片１４をシート本体１の上面方向に捲り上げる（折り目なしの自然な湾曲状態）。この状態で、シートＡ２の側縁第２片１３とシートＡ１の側縁第３片１４の各下面（裏面）を対向させた後、シートＡ２の、シート本体１に対する側縁第２片１３の折り目２３付近（折り線２３の付け根あたり）を、ホッチキスなどで仮止め部３０を形成する。
【００５２】
次に、仮止め部３０より上方に突き出た、側縁第２片１３と側縁第３片１４の重なり合い部分を裏面同士で互いに接着させることで、第３ステップを実行する。
【００５３】
その後、仮止め部３０を外すことにより、シートＡ１とシートＡ２相互間で互いに接合される。本例では、勾配下流側に位置するシートＡ１の、勾配上流側の側縁第片１４とシート本体１との間に折り線を設けていないため、接着完了後に仮止めを外すと、シートＡ１の側縁第３片１４とシート本体１の境目が自然に湾曲する状態となり、これによって、接合部分に、流れてくる雨水に対して対抗可能な強度が付与される。またシートＡ１の側縁第片１４とシートＡ２の側縁第２片１３を溶剤にて固定しても良い。
【００５４】
本例の施工方法によると、施工面Ｇに敷設したすべての防草シートＡについて、隣り合う防草シート相互間（Ａ１とＡ２、Ａ２とＡ３、Ａ３とＡ４、Ａ１１とＡ２１、Ａ２１とＡ３１、Ａ３１とＡ４１、Ａ１２とＡ２２、Ａ２２とＡ３２、Ａ３２とＡ４２、Ａ１とＡ１１、Ａ１１とＡ１２、Ａ２とＡ２１、Ａ２１とＡ２２、Ａ３とＡ３１、Ａ３１とＡ３２、Ａ４とＡ４１、Ａ４１とＡ４２）の側縁片（１０。例えば１３と１４や、１１と１２）を裏面同士で接着させて接合第１部１０２ａ及び接合第２部１０２ｂを形成する工程を有する。このため、傾斜や障害物の有無にかかわらず、隣り合う防草シート相互間の敷設順序に制限はなく（第２ステップ）、したがって、施工の自由度が高く、施工面へ効率的に防草構造体１００を施工することができる。
【００５５】
以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００５６】
上記実施形態は、勾配のある土地を想定して説明をしているが、平坦地の場合でも施工は可能である。平坦地の場合は、敷設する全体の勾配を考慮して勾配上流側や勾配下流側を判断するのが望ましいが、この限りではない。
【符号の説明】
【００５７】
１００…防草構造体
１０２…接合部
１０２ａ…接合第１部（接合部）
１０２ｂ…接合第２部（接合部）
Ａ…防草シート
１…矩形状シート本体
１０…側縁片
１１，１２…側縁第１片（側縁片）
１３…側縁第２片（側縁片）
１４…側縁第３片（側縁片）
２１，２２，２３…折り線
３０…仮止め部  
【図１】
0006359040.tif 000002
【図２】
0006359040.tif 000003
【図３】
0006359040.tif 000004
【図４】
0006359040.tif 000005
【図５】
0006359040.tif 000006
【図６】
0006359040.tif 000007